(57)【要約】【課題】ファスナーの開閉を容易にすることができるシートを提供する。【解決手段】シート１は、開口が設けられているシート本体２１と、開口を塞ぐカバーシート２２と、シート本体２１とカバーシート２２とをファスニングするスライドファスナー３と、シート本体２１に、カバーシート２２を留める留め具と、を備える。留め具は、シート本体２１及びカバーシート２２のいずれか一方に取り付けられた留め具本体と、シート本体２１及びカバーシート２２のいずれか他方から突出する突出シートと、を有する。【選択図】図２
2018066195.tif 000002
【特許請求の範囲】
【請求項１】
開口が設けられているシート本体と、
前記開口を塞ぐカバーシートと、
前記シート本体と前記カバーシートとをファスニングするファスナーと、
前記シート本体に、前記カバーシートを留める留め具と、
を備える、シート。
【請求項２】
前記留め具は、
前記シート本体及び前記カバーシートのいずれか一方に取り付けられた留め具本体と、
前記シート本体及び前記カバーシートのいずれか他方から突出する突出シートと、
を有する、請求項１に記載のシート。
【請求項３】
前記留め具本体は、ボタン又は磁石である、請求項２に記載のシート。
【請求項４】
前記シート本体と前記カバーシートとは、切れ目を有する一枚のシートから構成されている、請求項１から３のいずれか１項に記載のシート。
【請求項５】
前記ファスナーを２つ備えると共に、対向するＵ字状に設けられている、請求項１から４のいずれか１項に記載のシート。
【発明の詳細な説明】
【技術分野】
【０００１】
本発明は、シートに関する。
【背景技術】
【０００２】
建築現場において、工事によって生ずる騒音が周囲に漏洩するのを防止したり、塵埃の飛散を防止したりするために、周囲にシートが張設される。シートは、通常、建築物の周囲に設置された作業足場の支柱に紐で結びつけられて張設される。
【０００３】
このようなシートが作業足場の支柱に紐で結びつけられている状況下において、強風時に、シート本体が風圧を受けて紐に負荷が掛かることがある。そして、この負荷により、紐が解けてシートが外れたり、作業足場が倒壊したりすることがある。
【０００４】
このような事態を避ける為に、例えば、特許文献１に記載の養生シートが提案されている。この養生シートは、シート本体に、風を逃がす為の開口を備えている。この開口は、養生シートに取り付けられたスライドファスナーを開くことで形成される。
【先行技術文献】
【特許文献】
【０００５】
【特許文献１】特開平９−２７７０５６号公報
【発明の概要】
【発明が解決しようとする課題】
【０００６】
特許文献１に開示された養生シートは、利用者がスライドファスナーを閉じようとする際に、やや強い風などが吹いて、風に靡くことがある。この際、スライドファスナーの一対のエレメント（務歯）列も風に靡くので、スライダーを動かすことが困難な程度に一対のエレメント列が互いに離れた状態になることがある。
【０００７】
また、この養生シートを張設した状態で利用者がスライドファスナーを開くと、スライドファスナーに囲まれた部分である養生シート分割部が下方に垂れ下がった状態となる。
【０００８】
これでは、利用者は、スライドファスナーを閉じようとする際に、一対のエレメント列を手で持って、スライダーを動かすことが可能な程度にまで互いを引き寄せなければならない。
【０００９】
そして、このような、一対のエレメント列を互いに引き寄せる作業は、利用者にとって余計な負担である。
【００１０】
本発明は、上記問題点に鑑みてなされたものであり、ファスナーの開閉を容易にすることができるシートを提供することを目的とする。
【課題を解決するための手段】
【００１１】
上記目的を達成するため、本発明に係るシートは、
開口が設けられているシート本体と、
前記開口を塞ぐカバーシートと、
前記シート本体と前記カバーシートとをファスニングするファスナーと、
前記シート本体に、前記カバーシートを留める留め具と、
を備える。
【００１２】
例えば、前記留め具は、
前記シート本体及び前記カバーシートのいずれか一方に取り付けられた留め具本体と、
前記シート本体及び前記カバーシートのいずれか他方から突出する突出シートと、
を有していても良い。
【００１３】
例えば、前記留め具本体は、ボタン又は磁石であっても良い。
【００１４】
例えば、前記シート本体と前記カバーシートとは、切れ目を有する一枚のシートから構成されていても良い。
【００１５】
例えば、前記ファスナーを２つ備えると共に、対向するＵ字状に設けられていても良い。
【発明の効果】
【００１６】
本発明によれば、留め具でシート本体にカバーシートを留めてから、ファスナーのファスニングをすることにより、ファスナーの開閉を容易にすることができる。
【図面の簡単な説明】
【００１７】
【図１】本発明の実施の形態に係るシートの使用状態を表す図である。
【図２】図１の防音シートの裏側の面を表す図である。
【図３】図１の防音シートの表側の面を表す図である。
【図４】図３のＡ−Ａ線断面図である。
【図５】図３のＢ−Ｂ線断面図である。
【図６】図５に示すボタンを孔部から分離させた状態を示す図である。
【図７】図２に示すスライドファスナーを開いて、シート本体に開口を形成した状態を示す図である。
【図８】図５に示すスライドファスナーを開いた状態を示す図である。
【図９】本発明の実施の形態に係るシートの変形例１を説明するための図である。
【図１０】本発明の実施の形態に係るシートの変形例２を説明するための図である。
【発明を実施するための形態】
【００１８】
以下、図面を参照して、本発明の一実施の形態に係るシート１を説明する。
【００１９】
シート１は、建設現場の周囲に張設される部材であって、例えば、図１に示すように、建築物の周囲に設置された作業足場Ｙの支柱に張設される。シート１は、図２及び図３に示すように、シート部２と、スライドファスナー３と、留め具４と、を備える。
【００２０】
シート部２は、塩化ビニル樹脂などの合成樹脂から形成されており、２つの開口が設けられているシート本体２１と、シート本体２１の開口を塞ぐ一対のカバーシート２２と、から構成される。
【００２１】
シート本体２１は、開口が形成された長方形状のものであり、カバーシート２２は、舌片状のものである。シート本体２１とカバーシート２２とは、幅方向（左右方向）に延びる結合部２４で結合し、その他の部分で着脱可能に分離している。つまり、シート部２は、シート本体２１とカバーシート２２とから構成される、切れ目を有する一枚のシートからなっている。本実施形態では、シート部２は２つの切れ目を有しており、その２つの切れ目はシート１が張設された状態でそれぞれＵ字状および逆Ｕ字状となっている。そして、これらＵ字状と逆Ｕ字状は、互いに対向するように形成されている。
【００２２】
シート部２の周縁には、周縁に沿って一列に並ぶように複数の鳩目２３が形成されている。鳩目２３は、シート部２の周縁に沿ってほぼ等間隔に形成されている。鳩目２３は、紐を通して、シート１を作業足場の支柱に結びつけて固定したり、複数のシート１を連結したりするために用いられる。鳩目２３には、環状の金具が取り付けられている。
【００２３】
スライドファスナー３は、金属などで形成されており、シート本体２１とカバーシート２２とを着脱可能にファスニングする為の部材である。スライドファスナー３は、シート部２に２つ取り付けられており、具体的にはシート部２の２つの切れ目の部分に取り付けられている。２つのスライドファスナー３は、各々、一対のエレメント（務歯）列３１，３２と、スライダー（開閉部材）３３と、を備えている。
【００２４】
２つのエレメント列３１は、シート本体２１の内周部に沿って、シート１が張設された状態でそれぞれＵ字状および逆Ｕ字状となるように取り付けられている。また、２つのエレメント列３２は、カバーシート２２の外周部に沿って、シート１が張設された状態でそれぞれＵ字状および逆Ｕ字状となるように取り付けられている。そして、エレメント列３１とエレメント列３２は、互いに対向している。
【００２５】
スライダー３３は、エレメント列３１およびエレメント列３２と接続している。
そして、スライダー３３をスライドさせることによって、エレメント列３１とエレメント列３２とが噛み合ってスライドファスナー３が閉まり、あるいは外れてスライドファスナー３が開くように構成されている。シート部２に取り付けられた２つのスライドファスナー３を開くと、結合部２４を挟んで、シート部２に２つの開口が形成される。
【００２６】
スライドファスナー３が開いている時は、シート本体２１とカバーシート２２とは一部で分離し、スライドファスナー３が閉じている時は、図４に示すように、シート本体２１とカバーシート２２は互いに接続している。
【００２７】
図２に示すスライダー３３の胴体に取り付けられた引手３３１は、スライダー３３をスライドさせる際に指で挟持される部材であって、シート部２の裏側の面に取り付けられている。
【００２８】
留め具４は、シート本体２１にカバーシート２２を留めるための部材である。留め具４は、図５及び図６に示すように、ボタン（留め具本体）４１と、突出シート４２と、により構成される。
【００２９】
ボタン４１は樹脂などで形成されており、突出シート４２は布などで形成されている。ボタン４１は突出シート４２の一端に糸で縫い付けられて取り付けられている。そして、突出シート４２の他端はカバーシート２２の表側の面に糸で縫い付けられることで取り付けられている。これにより、突出シート４２は、カバーシート２２から突出するように取り付けられることとなる。そして、ボタン４１は、突出シート４２を介して、カバーシート２２の表側の面（シート部２の表側の面）に取り付けられることとなる。
そして、ボタン４１は、シート本体２１に形成された孔部５に対して掛け外し可能となっている。
【００３０】
ボタン４１は、図２及び図６に示すように、スライドファスナー３の内側に沿って複数取り付けられている。本実施形態では、ボタン４１は、スライドファスナー３の内側に沿って６個取り付けられている。
また、孔部５は、図２及び図７に示すように、スライドファスナー３の外側に沿って複数形成されている。本実施形態では、孔部５は、スライドファスナー３の外側に沿って、６つ形成されている。
また、ボタン４１と孔部５は、スライドファスナー３を挟んで互いに対向している。
【００３１】
ここで、ボタン４１は、スライドファスナー３の内側近傍に配設されていることが好ましく、孔部５は、スライドファスナー３の外側近傍に形成されていることが好ましい。
【００３２】
次に、シート１の使用方法を述べる。
【００３３】
シート１が建築現場の作業足場に張設されている状況下において、強風が予想される場合、スライドファスナー３を全開し、全てのボタン４１を孔部５から外す。これにより、シート本体２１とカバーシート２２とが一部において分離し、図７に示すように、シート部２において２つの開口６が形成される。この際、２つのカバーシート２２は、風でバタつかないように、例えば１つの紐７などで纏めておくと良い。ここで、２つのスライドファスナー３が、対向するＵ字状に設けられていない場合、少なくとも１箇所については、紐でカバーシート２２を縛る時に、紐をシート部２の外周に回さなければならず、外周部が固定されていると縛ることが出来ない場合も有り得るが、本発明のシート１のように、Ｕ字を対向させることで、外周に紐を回すことができなくても開口を設けることができる。また、引用文献１に開示の養生シートは、使用時に養生シート分割部を縛る為の紐が垂れるので、美観を損ね、安全性にも問題があったが、本発明のシート１は、２つのスライドファスナー３を対向するＵ字状に取り付け、２つのカバーシート２２を対向させているので、２つのカバーシート２２を風でバタつかないように１つに纏める時にのみ紐７を準備すれば良く、上記の問題を解消できる。
【００３４】
そして、開口６を形成することで、強風時に開口６から風が抜けるので、シート部２に開口６を設けていない場合と比較して、風力がシート１に強く作用せず、シート１と足場とを連結する紐が解けてシート１が離脱することや、足場の倒壊を防ぐことができる。
【００３５】
強風が止んだら、図８に示す様に、まず、全てのボタン４１を孔部５に掛ける。
【００３６】
ここで、ボタン４１と孔部５はスライドファスナー３に沿って複数配設されている。したがって、ボタン４１を孔部５に掛けると、利用者が一対のエレメント列３１，３２を手で持って互いを引き寄せる動作をしなくても、スライダー３３を動かすことが可能な程度に、エレメント列３１，３２を互いに近接させることができる。
【００３７】
つまり、スライドファスナー３を閉じる前にボタン４１を閉じておけば、利用者がエレメント列３１，３２を互いに引き寄せる動作をしなくても、スライドファスナー３を閉じることができる。
【００３８】
この発明は、上記の実施の形態に限定されず、種々の変形及び応用が可能である。
【００３９】
例えば、シート本体２１とカバーシート２２とを着脱可能にファスニングするためにスライドファスナー３を用いたが、これらを着脱可能にファスニングするための部材として、面ファスナー（マジックテープ（登録商標））などの他のファスナーを使用しても良い。
【００４０】
さらに、シート本体２１にカバーシート２２を留めるための留め具本体としてボタン４１を用いたが、磁石やバックルなどの他の部材を使用しても良い。
【００４１】
また、シート本体２１とカバーシート２２とは、図２に示す結合部２４で結合しているとしたが、例えば、カバーシート２２の全部がシート本体２１に着脱可能となるような構成としても良い。この場合、シート本体２１の内周部とカバーシート２２の外周部とが着脱可能となるように、例えば面ファスナーをＯ字状となるように取り付けても良い。この際、シート本体２１に設けられる開口の数は、例えば１つであっても良く、また、いくつであっても良い。
【００４２】
さらに、スライダー３３に取り付けられた引手３３１はシート部２の裏側の面に取り付けられ、ボタン４１はシート部２の表側の面に取り付けられるとしたが、引手３３１とボタン４１はシート部２のいずれの面に取り付けられていても良く、これらが同じ面に取り付けられていても良い。
【００４３】
また、シート部２に取り付けられるスライドファスナー３やボタン４１の数は、それぞれ２つと６個であるとしたが、いくつであっても良い。
【００４４】
さらに、ボタン４１は、突出シート４２を介してカバーシート２２に取り付けたが、突出シート４２を介さずカバーシート２２に直接取り付けても良い。
【００４５】
また、図９に示すように、ボタン４１をシート本体２１に取り付け、カバーシート２２に、孔部５を備えた突出シート４２が取り付けられていても良い。また、ボタン４１をカバーシート２２に取り付け、シート本体２１に、孔部５を備えた突出シート４２を取り付けても良い。つまり、ボタン４１をシート本体２１及びカバーシート２２のいずれか一方に取り付け、シート本体２１及びカバーシート２２のいずれか他方に、孔部５を備えた突出シート４２を取り付けても良い。
【００４６】
さらに、ボタン４１が取り付けられた突出シート４２を、カバーシート２２に取り付けたが、シート本体２１に取り付けても良い。この場合、図１０に示すように、カバーシート２２に孔部５が形成されている。
【００４７】
ここで、シート１が、一般的に利用される縦３．６ｍ×横１．８ｍの矩形状のシートである場合、カバーシート２２は、シート本体２１の全周縁から５０ｃｍほど内側に配設されていることが好ましい。これにより、風を逃がす為の開口６を出来る限り大きく保ちつつ、シート部２の強度を保つことが可能になる。この場合、図２に示す２つの結合部２４の間の長さは、６０ｃｍであることが好ましい。
【００４８】
本発明のシート１は、工事の足場に用いるシートである。しかしながら、これに限られず、工事の足場以外に用いるものであってもよい。
【００４９】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００５０】
１    シート
２    シート部
３    スライドファスナー（ファスナー）
４    留め具
５    孔部
６    開口
７    紐
２１    シート本体
２２    カバーシート
２３    鳩目
２４    結合部
３１、３２    エレメント（務歯）列
４１    ボタン（留め具本体）
４２    突出シート
３３    スライダー（開閉部材）
３３１    引手
Ｙ    作業足場
【図１】
2018066195.tif 000003
【図２】
2018066195.tif 000004
【図３】
2018066195.tif 000005
【図４】
2018066195.tif 000006
【図５】
2018066195.tif 000007
【図６】
2018066195.tif 000008
【図７】
2018066195.tif 000009
【図８】
2018066195.tif 000010
【図９】
2018066195.tif 000011
【図１０】
2018066195.tif 000012
【手続補正書】
【提出日】平成29年2月3日(2017.2.3)
【手続補正２】
【補正対象書類名】明細書
【補正対象項目名】０００１
【補正方法】変更
【補正の内容】
【０００１】
本発明は、養生シートに関する。
【手続補正３】
【補正対象書類名】明細書
【補正対象項目名】００１０
【補正方法】変更
【補正の内容】
【００１０】
本発明は、上記問題点に鑑みてなされたものであり、ファスナーの開閉を容易にすることができる養生シートを提供することを目的とする。
【手続補正４】
【補正対象書類名】明細書
【補正対象項目名】００１１
【補正方法】変更
【補正の内容】
【００１１】
上記目的を達成するため、本発明に係る養生シートは、
開口とボタン孔部とが設けられ、建築現場の作業足場の支柱に張設され、作業足場の外側に露出する第１面と、第１面の反対側の第２面と、を有するシート本体と、
前記開口を塞ぐカバーシートと、
前記シート本体と前記カバーシートとをファスニングするファスナーと、
前記シート本体に、前記カバーシートを留める留め具と、
を備え、
前記留め具は、
前記カバーシートから突出する突出シートと、
前記突出シートに取り付けられ、前記ボタン孔部に掛け外し可能なボタンと、を有し、
前記ボタン孔部に掛けられた前記ボタンは、前記シート本体の前記第２面から突出する。
【手続補正５】
【補正対象書類名】明細書
【補正対象項目名】００１２
【補正方法】変更
【補正の内容】
【００１２】
例えば、前記シート本体と前記カバーシートとは、切れ目を有する一枚のシートから構成されていても良い。
【手続補正６】
【補正対象書類名】明細書
【補正対象項目名】００１３
【補正方法】変更
【補正の内容】
【００１３】
例えば、前記ファスナーを２つ備えると共に、対向するＵ字状に設けられていても良い。
【手続補正７】
【補正対象書類名】明細書
【補正対象項目名】００１４
【補正方法】変更
【補正の内容】
【００１４】
例えば、前記突出シートは、布で形成されており、前記突出シートと前記カバーシート及び前記ボタンとは、糸で結合されていても良い。
【手続補正８】
【補正対象書類名】明細書
【補正対象項目名】００１５
【補正方法】変更
【補正の内容】
【００１５】
例えば、前記ボタン孔部及び前記留め具は、前記ファスナーに沿って設けられていても良い。
【手続補正９】
【補正対象書類名】特許請求の範囲
【補正対象項目名】全文
【補正方法】変更
【補正の内容】
【特許請求の範囲】
【請求項１】
開口とボタン孔部とが設けられ、建築現場の作業足場の支柱に張設され、作業足場の外側に露出する第１面と、第１面の反対側の第２面と、を有するシート本体と、
前記開口を塞ぐカバーシートと、
前記シート本体と前記カバーシートとをファスニングするファスナーと、
前記シート本体に、前記カバーシートを留める留め具と、
を備え、
前記留め具は、
前記カバーシートから突出する突出シートと、
前記突出シートに取り付けられ、前記ボタン孔部に掛け外し可能なボタンと、を有し、
前記ボタン孔部に掛けられた前記ボタンは、前記シート本体の前記第２面から突出する、養生シート。
【請求項２】
前記シート本体と前記カバーシートとは、切れ目を有する一枚のシートから構成されている、請求項１に記載の養生シート。
【請求項３】
前記ファスナーを２つ備えると共に、対向するＵ字状に設けられている、請求項１又は２に記載の養生シート。
【請求項４】
前記突出シートは、布で形成されており、
前記突出シートと前記カバーシート及び前記ボタンとは、糸で結合されている、
請求項１から３のいずれか１項に記載の養生シート。
【請求項５】
前記ボタン孔部及び前記留め具は、前記ファスナーに沿って設けられている、請求項１から４のいずれか１項に記載の養生シート。